(57)【要約】  パワーコンディショナは、正極入力端子と負極入力端子とから入力される直流電圧を交流電圧に変換するインバータ回路と、一端が正極入力端子に接続され他端が負極入力端子に接続された分圧回路と、分圧回路で分圧された電圧が入力電圧信号として入力され、入力電圧信号の電圧の大きさに基づいて地絡が発生したことを検出する地絡検出器と、を備える。地絡検出器は、入力電圧信号が第一周波数以上の周波数を持つ第一電圧信号を含み且つ交流地絡基準電位に対する第一電圧信号の偏差が交流地絡検出電圧以上であるときに、交流地絡検出信号を発する。地絡検出器は、第一電圧信号を通過させる周波数フィルタと、第一周波数より低く定められた第二周波数以下の第二電圧信号を通過させるローパスフィルタと、第一電圧信号と第二電圧信号とに基づいて交流地絡検出信号および直流地絡検出信号を発する電圧比較部と、を含んでもよい。
2019016867.tif 000002
【特許請求の範囲】
【請求項１】
正極入力端子および負極入力端子を介して入力される直流電圧を交流電圧に変換するインバータ回路と、
一端が前記正極入力端子に接続され他端が前記負極入力端子に接続された分圧回路と、
前記分圧回路で分圧された電圧が入力電圧信号として入力され、前記入力電圧信号の電圧の大きさに基づいて地絡が発生したことを検出する地絡検出器と、
を備え、
前記地絡検出器は、前記入力電圧信号が予め定められた第一周波数以上の周波数を持つ第一電圧信号を含み且つ予め定められた交流地絡基準電位に対する前記第一電圧信号の偏差が予め定められた交流地絡検出電圧以上であるときに、交流地絡検出信号を発するパワーコンディショナ。
【請求項２】
前記地絡検出器は、
前記入力電圧信号が入力され前記第一電圧信号を通過させ前記第一周波数よりも低い周波数を持つ信号を阻止する周波数フィルタと、
前記入力電圧信号が入力され前記第一周波数より低く定められた第二周波数以下の第二電圧信号を通過させ前記第二周波数より高い周波数を持つ信号を阻止するローパスフィルタと、
前記交流地絡基準電位に対する前記第一電圧信号の偏差が前記交流地絡検出電圧以上であるときに前記交流地絡検出信号を発し、予め定められた直流地絡基準電位に対する前記第二電圧信号の偏差が予め定められた直流地絡検出電圧以上であるときに直流地絡検出信号を発する電圧比較部と、
を含む請求項１に記載のパワーコンディショナ。
【請求項３】
前記周波数フィルタは、前記第一周波数よりも高く定めた第三周波数よりも高い周波数を持つ信号を阻止する請求項２に記載のパワーコンディショナ。
【請求項４】
前記交流地絡検出信号に応答して交流地絡を報知する報知部と、前記交流地絡検出信号に応答して交流地絡の発生履歴を記録する記録部と、のうち少なくとも一方を備える請求項１〜３のいずれか１項に記載のパワーコンディショナ。
【請求項５】
入力電圧信号が入力され予め定められた第一周波数以上の周波数を持つ第一電圧信号を通過させ前記第一周波数よりも低い周波数を持つ信号を阻止する周波数フィルタと、
前記入力電圧信号が入力され前記第一周波数より低く定められた第二周波数以下の第二電圧信号を通過させ前記第二周波数より高い周波数を持つ信号を阻止するローパスフィルタと、
予め定められた交流地絡基準電位に対する前記第一電圧信号の偏差が予め定められた交流地絡検出電圧以上であるときに交流地絡検出信号を発し、予め定められた直流地絡基準電位に対する前記第二電圧信号の偏差が予め定められた直流地絡検出電圧以上であるときに直流地絡検出信号を発する電圧比較部と、
を備える地絡検出器。
【発明の詳細な説明】
【技術分野】
【０００１】
本発明は、地絡検出器およびパワーコンディショナに関するものである。
【背景技術】
【０００２】
パワーコンディショナはインバータ回路を備えている。インバータ回路の入力側には、太陽電池パネルからの直流電圧が入力される。太陽電池パネルからインバータ回路入力側までの経路において地絡が起きると、直流地絡が発生する。直流地絡を検出するために、インバータ回路の入力側に地絡検出器が設けられている。この点に関し、従来、例えば日本特開２００１−２１８４７４号公報に開示されているように、インバータ回路を含む回路の地絡を検出する装置が知られている。【０００３】
インバータ回路では直流交流変換が行われ、インバータ回路の出力側に交流電流が流れる。入力側での直流地絡とは別に、交流側での交流地絡が発生する。従来、交流地絡を検出するための地絡検出器として、パワーコンディショナのインバータ回路出力側に地絡過電圧継電器（いわゆるＯＶＧＲ）が設けられていた。
【先行技術文献】
【特許文献】
【０００４】
【特許文献１】日本特開２００１−２１８４７４号公報
【発明の概要】
【発明が解決しようとする課題】
【０００５】
従来は、交流地絡を正確に検出するためにはインバータ回路出力側に地絡検出器を設けることが不可欠であった。このため、インバータ回路出力側の回路構成が複雑化したり回路設置スペースが増大したりする問題があった。本願発明者は、鋭意研究を重ねた結果、インバータ回路出力側のＯＶＧＲを用いなくとも交流地絡を検出できる新規な装置構成を見出した。【０００６】
本発明は、上述のような課題を解決するためになされたもので、インバータ回路出力側の地絡検出器を用いなくとも交流地絡を区別して検出することができる地絡検出器およびパワーコンディショナを提供することを目的とする。
【課題を解決するための手段】
【０００７】
本発明にかかるパワーコンディショナは、正極入力端子および負極入力端子を介して入力される直流電圧を交流電圧に変換するインバータ回路と、一端が前記正極入力端子に接続され他端が前記負極入力端子に接続された分圧回路と、前記分圧回路で分圧された電圧が入力電圧信号として入力され、前記入力電圧信号の電圧の大きさに基づいて地絡が発生したことを検出する地絡検出器と、を備え、前記地絡検出器は、前記入力電圧信号が予め定められた第一周波数以上の周波数を持つ第一電圧信号を含み且つ予め定められた交流地絡基準電位に対する前記第一電圧信号の偏差が予め定められた交流地絡検出電圧以上であるときに、交流地絡検出信号を発する。【０００８】
本発明にかかる地絡検出器は、入力電圧信号が入力され予め定められた第一周波数以上の周波数を持つ第一電圧信号を通過させ前記第一周波数よりも低い周波数を持つ信号を阻止する周波数フィルタと、前記入力電圧信号が入力され前記第一周波数より低く定められた第二周波数以下の第二電圧信号を通過させ前記第二周波数より高い周波数を持つ信号を阻止するローパスフィルタと、予め定められた交流地絡基準電位に対する前記第一電圧信号の偏差が予め定められた交流地絡検出電圧以上であるときに交流地絡検出信号を発し、予め定められた直流地絡基準電位に対する前記第二電圧信号の偏差が予め定められた直流地絡検出電圧以上であるときに直流地絡検出信号を発する電圧比較部と、を備える。
【発明の効果】
【０００９】
交流地絡波形はインバータ回路における出力側から入力側へと伝わるので、直流地絡検出用の入力側地絡検出器でも交流地絡波形を検出することができる。直流地絡と交流地絡とでは電圧波形に違いがあるので、この波形の違いを利用して、第一周波数以上の信号が含まれていたときに交流地絡を検出することができる。これにより、インバータ回路入力側の地絡検出器で交流地絡を区別して検出できる。
【図面の簡単な説明】
【００１０】
【図１】本発明の実施の形態にかかる地絡検出器およびパワーコンディショナを備える電力システムを示す回路ブロック図である。
【図２】本発明の実施の形態にかかる地絡検出器の回路ブロック図である。
【図３】本発明の実施の形態にかかる地絡検出器の動作を説明するための波形図である。
【図４】本発明の実施の形態にかかる地絡検出器の動作を説明するための波形図である。
【図５】本発明の実施の形態の変形例にかかる地絡検出器の回路ブロック図である。
【発明を実施するための形態】
【００１１】
図１は、本発明の実施の形態にかかる地絡検出器１６およびパワーコンディショナ１０を備える電力システム１を示す回路ブロック図である。実施の形態では一例として電力システム１を太陽光発電システムとする。電力システム１は、直流電源である太陽電池パネル２と、太陽電池パネル２を固定する架台３と、太陽電池パネル２とパワーコンディショナ１０との間に介在する接続箱４と、直流交流電力変換を行うパワーコンディショナ１０と、主回路引込盤２０と、を備えている。電力システム１は、主回路引込盤２０を介して、系統電源２４〜２６および家電負荷（図示せず）と接続している。主回路引込盤２０は、主回路ブレーカ２２を備えている。
【００１２】
パワーコンディショナ１０は、正極入力端子５ａと、負極入力端子５ｂと、インバータ回路１４と、分圧回路１２と、地絡検出器１６と、報知部１７ａと、記録部１７ｂと、ブレーカ１８と、を備える。インバータ回路１４は、正極入力端子５ａおよび負極入力端子５ｂを介して入力される直流電圧を交流電圧に変換する。インバータ回路１４は、Ｒ、Ｓ、Ｔの三つの相を有する三相インバータ回路であり、二つの半導体スイッチング素子で構成されたアーム回路を三組有している。
【００１３】
分圧回路１２は、抵抗器Ｒ１および抵抗器Ｒ２の直列回路である。分圧回路１２の一端は正極入力端子５ａに接続され、分圧回路１２の他端は負極入力端子５ｂに接続されている。抵抗器Ｒ１と抵抗器Ｒ２との接続点は接地されている。抵抗器Ｒ１と抵抗器Ｒ２との接続点の電圧が、中性点電位Ｖｃである。
【００１４】
地絡検出器１６には、中性点電位Ｖｃが入力電圧信号Ｓ０として入力される。地絡検出器１６は、入力電圧信号Ｓ０の電圧の大きさに基づいて地絡が発生したことを検出する。地絡検出器１６は、報知部１７ａ、記録部１７ｂ、およびブレーカ１８に接続している。ブレーカ１８は、インバータ回路１４の出力側に備えられている。ブレーカ１８が作動するとパワーコンディショナ１０と主回路引込盤２０との電気接続が遮断される。なお図１には、直流地絡発生時の地絡電流経路が破線で図示されている。
【００１５】
図２は、本発明の実施の形態にかかる地絡検出器１６の回路ブロック図である。地絡検出器１６は、周波数フィルタ１６１と、ローパスフィルタ１６２と、電圧比較部１６３と、直流地絡検出端子１６５と、交流地絡検出端子１６６と、を備えている。
【００１６】
周波数フィルタ１６１は、バンドパスフィルタである。周波数フィルタ１６１は、予め定められた周波数範囲内の周波数を持つ信号のみを通過させる。すなわち、周波数フィルタ１６１は、第一周波数ｆ１１よりも低い周波数を持つ信号と、第三周波数ｆ１２よりも高い周波数を持つ信号とを、阻止することができる。従って、周波数フィルタ１６１に入力電圧信号Ｓ０が入力されると、周波数フィルタ１６１は、第一周波数ｆ１１以上かつ第三周波数ｆ１２以下の周波数を持つ第一電圧信号Ｓ１のみを通過させることができる。第三周波数ｆ１２は第一周波数ｆ１１よりも高く定められており、具体的には、第一周波数ｆ１１を４５ヘルツとし、第三周波数ｆ１２を６５ヘルツとしてもよい。これにより４５ヘルツ〜６５ヘルツの周波数を持つ信号のみを選択的に通過させることができるので、５０ヘルツあるいは６０ヘルツの周波数を持つ電気信号を入力電圧信号Ｓ０から正確に取り出すことができる。なお、周波数の数値は一例である。
【００１７】
ローパスフィルタ１６２に入力電圧信号Ｓ０が入力されると、ローパスフィルタ１６２は、第二周波数ｆ２より高い周波数を持つ信号を阻止する。従って、ローパスフィルタ１６２は、第二周波数ｆ２以下の周波数を持つ第二電圧信号Ｓ２のみを通過させることができる。第二周波数ｆ２は、第一周波数ｆ１１より低く定められた周波数である。第二周波数ｆ２は、５ヘルツであってもよく、１ヘルツであってもよい。これにより十分に低い周波数を持つ信号のみを選択的に通過させることができるので、交流地絡に起因する周波数成分を排除して直流地絡に起因する電圧変動のみを検出することができる。なお、周波数の数値は一例である。
【００１８】
電圧比較部１６３は、第一比較器１６３ａと、絶対値生成部１６４と、第二比較器１６３ｂとを含んでいる。電圧比較部１６３は、第一電圧信号Ｓ１と第二電圧信号Ｓ２とを、予め定められた電圧である交流地絡検出電圧Ｖｒｅｆ１および直流地絡検出電圧Ｖｒｅｆ２と比較する。以下、図２〜図４を用いて、電圧比較部１６３の構成とともに、地絡検出器１６の地絡検出動作を説明する。図３および図４は、本発明の実施の形態にかかる地絡検出器１６の動作を説明するための波形図である。
【００１９】
まず、交流地絡の検出動作を説明する。第一電圧信号Ｓ１の電圧値が交流地絡検出電圧Ｖｒｅｆ１以上となった場合には、第一比較器１６３ａの出力信号がハイとなる。このハイ信号が交流地絡検出信号ＳＡＣである。交流地絡検出端子１６６を介して交流地絡検出信号ＳＡＣが地絡検出器１６の外部に出力される。
【００２０】
図３には、交流地絡波形３０が図示されている。図３に示す交流地絡時には、中性点電位Ｖｃが周期的に変動する。この変動はインバータ回路１４の出力側の電圧周波数によるものである。商用系統である系統電源２４〜２６と系統連系システムを構築しているので、インバータ回路１４は５０ヘルツまたは６０ヘルツの電圧を出力する。従って、交流地絡の発生時における周期的な中性点電位Ｖｃの変動は、５０ヘルツまたは６０ヘルツの周波数を持つ。
【００２１】
交流地絡時には入力電圧信号Ｓ０が５０ヘルツまたは６０ヘルツの周波数を持つので、入力電圧信号Ｓ０がローパスフィルタ１６２で阻止され、その一方で入力電圧信号Ｓ０が周波数フィルタ１６１を通過して第一電圧信号Ｓ１となる。第一電圧信号Ｓ１は第一比較器１６３ａで交流地絡検出電圧Ｖｒｅｆ１と比較される。図３に示すように交流地絡基準電位ＶＣ０１に対する第一電圧信号Ｓ１の偏差Ａ１が交流地絡検出電圧Ｖｒｅｆ１以上であるときに、第一比較器１６３ａは交流地絡検出信号ＳＡＣを発する。交流地絡を区別して検出することにより、インバータ回路１４の出力側に故障があることを速やかに特定できる。
【００２２】
なお、図３に示すように交流地絡基準電位ＶＣ０１に対する第一電圧信号Ｓ１のプラス電位側の偏差Ａ１を交流地絡検出電圧である＋Ｖｒｅｆ１と比較してもよいが、これに限られない。変形例として、交流地絡基準電位ＶＣ０１に対する第一電圧信号Ｓ１のマイナス電位側の偏差を、−Ｖｒｅｆ１を比較してもよい。
【００２３】
次に、直流地絡の検出動作を説明する。絶対値生成部１６４は、第二電圧信号Ｓ２の電圧値を絶対値に変換する。第二電圧信号Ｓ２の絶対値が直流地絡検出電圧Ｖｒｅｆ２以上となった場合には、第二比較器１６３ｂの出力信号がハイとなる。このハイ信号が直流地絡検出信号ＳＤＣである。直流地絡検出端子１６５を介して直流地絡検出信号ＳＤＣが地絡検出器１６の外部に出力される。
【００２４】
図４には、Ｎ相直流地絡波形３１とＰ相直流地絡波形３２とが図示されている。図４に示す直流地絡時には、中性点電位ＶｃがＰ側もしくはＮ側にのみ一方的に変動する。直流地絡では、中性点電位Ｖｃに一つの山または谷の波形が現れるにとどまり、中性点電位Ｖｃが周期的な変動を繰り返すことはない。
【００２５】
直流地絡発生時には入力電圧信号Ｓ０は十分に低い周波数しか持たないので、入力電圧信号Ｓ０がローパスフィルタ１６２を通過して第二電圧信号Ｓ２となり、その一方で入力電圧信号Ｓ０が周波数フィルタ１６１で阻止される。第二電圧信号Ｓ２は絶対値に変換された後に第二比較器１６３ｂで直流地絡検出電圧Ｖｒｅｆ２と比較される。図４に示すように直流地絡基準電位ＶＣ０２に対する第二電圧信号Ｓ２の偏差Ａ２が直流地絡検出電圧Ｖｒｅｆ２以上であるときに、第二比較器１６３ｂは直流地絡検出信号ＳＤＣを発する。直流地絡を区別して検出することにより、インバータ回路１４の入力側に故障があることを速やかに特定できる。
【００２６】
なお、直流地絡と交流地絡の両方が発生したときには、入力電圧信号Ｓ０の低周波数成分がローパスフィルタ１６２を通過して第二電圧信号Ｓ２となり、その一方で入力電圧信号Ｓ０の高周波数成分が周波数フィルタ１６１を通過して第一電圧信号Ｓ１となる。これにより上記の交流地絡検出および直流地絡検出がそれぞれ独立に作動するので、交流地絡検出信号ＳＡＣおよび直流地絡検出信号ＳＤＣの両方が出力される。
【００２７】
実施の形態１では、分圧回路１２の中性点電位Ｖｃが接地電位とされている。この中性点電位Ｖｃからの電圧変動に基づいて地絡を検出しているので、交流地絡基準電位ＶＣ０１および直流地絡基準電位ＶＣ０２がゼロボルトとされている。交流地絡基準電位ＶＣ０１および交流地絡検出電圧Ｖｒｅｆ１は交流地絡を正確に検出するための値に予め定めることができ、直流地絡基準電位ＶＣ０２および直流地絡検出電圧Ｖｒｅｆ２は直流地絡を正確に検出するための値に予め定めることができる。直流地絡と交流地絡の検出条件は共通にしてもよく、互いに相違させても良い。交流地絡基準電位ＶＣ０１と直流地絡基準電位ＶＣ０２は、同じ電位としてもよく、具体的には両方をゼロボルトにしてもよい。あるいは、交流地絡基準電位ＶＣ０１と直流地絡基準電位ＶＣ０２とのうち一方を他方よりも高くして、両者を異なる電位に設定してもよい。交流地絡検出電圧Ｖｒｅｆ１と直流地絡検出電圧Ｖｒｅｆ２は、同じ電圧値であってもよく、一方を他方よりも高くして互いに異なる電圧値としてもよい。
【００２８】
交流地絡波形はインバータ回路１４における出力側から入力側へと伝わるので、インバータ回路１４の入力側に設けられた地絡検出器１６にも交流地絡波形が入力される。直流地絡と交流地絡とでは電圧波形に違いがあるので、実施の形態によれば、この波形の違いを利用して第一周波数ｆ１１以上の周波数を持つ信号が含まれていたときに交流地絡を検出することができる。これにより、インバータ回路１４の入力側の地絡検出器１６で交流地絡を区別して検出できる。インバータ回路１４出力側のＯＶＧＲを用いなくとも交流地絡を区別して検出することができる。さらに、実施の形態にかかる地絡検出器１６は直流地絡検出信号ＳＤＣと交流地絡検出信号ＳＡＣとを別々に発するので、直流地絡のみの発生、交流地絡のみの発生、および直流地絡と交流地絡の両方の発生を、互いに区別することができる。
【００２９】
報知部１７ａは、交流地絡検出信号ＳＡＣに応答して交流地絡を報知し、直流地絡検出信号ＳＤＣに応答して直流地絡を報知する。交流地絡および直流地絡の両方が発生したときには、交流地絡および直流地絡の両方を報知することができる。記録部１７ｂは、交流地絡検出信号ＳＡＣおよび直流地絡検出信号ＳＤＣに応答して、地絡発生履歴を記録する。記録部１７ｂは、直流地絡と交流地絡の少なくとも一方が発生したときの入力電圧信号Ｓ０の波形を、読み取り可能記録媒体に記録することができる。読み取り可能記録媒体を記録部１７ｂから取り外すことで、外部の電子計算機に地絡波形を読み取ませることができる。地絡検出器１６が直流地絡検出信号ＳＤＣと交流地絡検出信号ＳＡＣの少なくとも一方を発したら、ブレーカ１８がトリップされる。
【００３０】
図５は、本発明の実施の形態の変形例にかかる地絡検出器１１６の回路ブロック図である。地絡検出器１１６は、ローパスフィルタ１６２を備えておらず、直流地絡検出端子１６５に代えて地絡検出端子２６５を備えている。ローパスフィルタ１６２がないので、入力電圧信号Ｓ０がそのまま電圧比較部１６３に入力される。絶対値生成部１６４は入力電圧信号Ｓ０の絶対値を第二比較器１６３ｂに入力する。
【００３１】
まず、直流地絡の発生時には、地絡検出器１１６では、図４の直流地絡波形の絶対値が第二比較器１６３ｂに入力される。従って、地絡検出器１１６でも、第二比較器１６３ｂでの電圧比較により地絡検出器１６と同様に直流地絡が検出される。この場合、地絡検出器１１６は、地絡検出信号ＳＸを地絡検出端子２６５から出力する。また、周波数フィルタ１６１が設けられているので、交流地絡検出信号ＳＡＣは出力されない。
【００３２】
一方、交流地絡の発生時には、地絡検出器１１６では、図３の交流地絡波形３０が周波数フィルタ１６１を通過して第一比較器１６３ａに入力される。その結果、交流地絡が検出されて、交流地絡検出信号ＳＡＣが交流地絡検出端子１６６から出力される。さらに、地絡検出器１１６にはローパスフィルタ１６２が備えられていないので、交流地絡波形３０が絶対値生成部１６４で変換された後に第二比較器１６３ｂに入力される。その結果、この交流地絡の発生時にも地絡検出信号ＳＸが地絡検出端子２６５から出力される。
【００３３】
上記の地絡検出器１１６では、入力電圧信号Ｓ０の電圧の大きさに基づいて交流地絡と直流地絡の少なくとも一方が検出されたときに、地絡検出信号ＳＸが出力される。さらに、交流地絡検出信号ＳＡＣの有無によって、交流地絡と直流地絡とを区別することもできる。
【００３４】
図２および図５の回路構成では、絶対値生成部１６４を設けることでＰ相直流地絡波形３２とＮ相直流地絡波形３１とを同一の直流地絡検出電圧Ｖｒｅｆ２に照らし合わせたが、必ずしもこれに限られない。変形例として、絶対値を取らずに、マイナス側への電圧変動を図３に示す−Ｖｒｅｆ２と照らし合わせるようにしても良い。さらなる変形例として、電圧の正負を区別してＰ相地絡とＮ相地絡とを区別して検出してもよく、Ｐ相地絡とＮ相の違いを報知部１７ａで報知したり、記録部１７ｂで記録したりしてもよい。直流地絡検出側において絶対値のみならず極性の有無も判断することにより、Ｐ相とＮ相のいずれの配線上に故障があるのかをより正確に特定してもよい。
【符号の説明】
【００３５】
１  電力システム、２  太陽電池パネル、３  架台、４  接続箱、５ａ  正極入力端子、５ｂ  負極入力端子、１０  パワーコンディショナ、１２  分圧回路、１４  インバータ回路、１６、１１６  地絡検出器、１７ａ  報知部、１７ｂ  記録部、１８  ブレーカ、２０  主回路引込盤、２２  主回路ブレーカ、２４〜２６  系統電源、３０  交流地絡波形、３１  相直流地絡波形、３２  相直流地絡波形、１６１  周波数フィルタ、１６２  ローパスフィルタ、１６３  電圧比較部、１６３ａ  第一比較器、１６３ｂ  第二比較器、１６４  絶対値生成部、１６５  直流地絡検出端子、１６６  交流地絡検出端子、２６５  地絡検出端子、Ａ１、Ａ２  偏差、ｆ１１  第一周波数、ｆ１２  第三周波数、ｆ２  第二周波数、Ｒ１  抵抗器、Ｒ２  抵抗器、Ｓ０  入力電圧信号、Ｓ１  第一電圧信号、Ｓ２  第二電圧信号、ＳＡＣ  交流地絡検出信号、ＳＤＣ  直流地絡検出信号、ＳＸ  地絡検出信号、Ｖｃ  中性点電位、ＶＣ０１  交流地絡基準電位、ＶＣ０２  直流地絡基準電位、Ｖｒｅｆ１  交流地絡検出電圧、Ｖｒｅｆ２  直流地絡検出電圧
【図１】
2019016867.tif 000003
【図２】
2019016867.tif 000004
【図３】
2019016867.tif 000005
【図４】
2019016867.tif 000006
【図５】
2019016867.tif 000007
【国際調査報告】
2019016867.tif 000008
2019016867.tif 000009
2019016867.tif 000010
2019016867.tif 000011